(57)【要約】      （修正有）【課題】電子放出素子をマトリックス状に配置したディスプレイにおいて、オーバーシュートの無い走査電極印加電圧を発生する駆動回路を提供する。【解決手段】増幅器７の逆相入力端子には、帰還スイッチ１１により検出された走査電極電位３２を入力し、増幅器７の正相入力端子には、基準選択電位信号発生回路１からの基準選択電位３０を入力する。基準選択電位信号発生回路１は、基準電圧源１３の基準電位を遅延させた信号を出力する。【選択図】図１
2006301413.tif 000002
【特許請求の範囲】
【請求項１】
マトリクス状に配置された複数の電子放出素子を駆動する走査電極駆動手段を備えた画像表示装置において、
前記走査電極駆動手段は、走査電極を選択する走査選択手段と、選択された走査電極の電位を検出する走査電極電位検出手段と、前記検出された走査電極の電位を一方の入力に入力する走査電極電位補正手段と、前記走査電極電位補正手段の他方の入力に、基準選択電位信号を入力する基準選択電位信号発生手段とからなり、前記基準選択電位信号発生手段は、入力された基準電圧を遅延して基準選択電位信号を出力することを特徴とする画像表示装置
【請求項２】
前記基準選択電位信号発生手段は、基準電圧を抵抗と容量とにより遅延して基準選択電位信号として出力することを特徴とする請求項１に記載の画像表示装置
【請求項３】
前記基準選択電位信号発生手段は、基準電圧を決定する第１の電圧源と、第１の電圧源の出力に接続された第１の抵抗と、第１の抵抗の一端に接続された容量と、第１の抵抗と容量との接続点に直列に接続した第２の抵抗とスイッチとからなることを特徴とする請求項１に記載の画像表示装置
【請求項４】
前記基準選択電位信号発生手段は、基準電圧を決定する第１の電圧源と、第１の電圧源の出力に接続された第１の抵抗と、第１の抵抗の一端に接続された容量と、第１の抵抗と容量との接続点に直列に接続したスイッチと第２の電圧源とからなることを特徴とする請求項１に記載の画像表示装置
【請求項５】
互いに平行な複数本の走査配線と、それと直交する複数本のデータ配線と、両配線の交点に配置された複数の電子放出素子と、前記電子放出素子からの電子により発光する螢光体とからなる表示パネルと、前記走査配線の各走査電極に接続された走査電極駆動手段と、前記データ配線の各データ電極に接続されたデータ電極駆動電手段と、前記電子放出素子からの電子を収束して螢光体へ照射させるための高圧手段とを備えた画像表示装置において、
前記走査電極駆動手段は、各走査電極を選択する走査選択手段と、各走査電極の電位を検出する走査電極電位検出手段と、前記走査電極電位検出手段により検出された走査電極電位を基に走査電極毎に所定の電位とする走査電極電位補正手段とを備え、前記走査電極電位補正手段の入力に基準選択電位信号発生手段を備えたことを特徴とする画像表示装置
【請求項６】
前記走査電極電位補正手段は増幅器で構成され、また、前記基準選択電位信号発生手段は、表示パネルの容量と走査選択手段とからなる位相遅れ要素を考慮した基準選択電位信号を発生することを特徴とする請求項５に記載の画像表示装置
【請求項７】
前記走査電極電位補正手段には、各走査電極電位を決定する基準選択電位信号を入力する基準信号入力端子が設けられており、また、前記基準選択電位信号発生手段は、前記基準信号入力端子に、水平走査の選択期間の始まりにおいて、非選択電位から選択電位へ緩やかに変化する基準選択電位信号を出力することを特徴とする請求項５に記載の画像表示装置
【請求項８】
前記基準選択電位信号発生手段は、基準選択電位信号の直流レベルを決定する第１の電圧源と、第１の電圧源の出力に接続された第１のインピーダンス素子と、第１のインピーダンス素子の一端に接続された容量素子と、第１のインピーダンス素子と容量素子との接続点に直列に接続した第２のインピーダンス素子とスイッチとからなることを特徴とする請求項６に記載の画像表示装置
【請求項９】
前記基準選択電位信号発生手段は、基準選択電位信号の直流レベルを決定する第１の電圧源と、第１の電圧源の出力に接続された第１のインピーダンス素子と、第１のインピーダンス素子の一端に接続された容量素子と、第１のインピーダンス素子と容量素子との接続点に直列に接続したスイッチと第２の電圧源とからなることを特徴とする請求項６に記載の画像表示装置
【請求項１０】
互いに平行な複数本の走査配線と、それと直交する複数本のデータ配線と、両配線の交点に配置された複数の電子放出素子と、前記電子放出素子からの電子により発光する螢光体とからなる表示パネルと、前記走査配線の各走査電極に接続された走査電極駆動手段と、前記データ配線の各データ電極に接続されたデータ電極駆動電手段と、前記電子放出素子からの電子を収束して螢光体へ照射させるための高圧手段とを備えた画像表示装置の駆動方法において、
前記走査電極駆動手段は、走査選択手段により走査電極を選択し、選択した走査電極の電位を走査電極電位検出手段により検出し、検出した走査電極の電位を入力する走査電極電位補正手段により走査電極を所定の電位とするために、前記走査電極電位補正手段の他の入力に、基準選択電位信号発生手段から基準電圧を遅延した基準選択電位信号を供給することを特徴とする画像表示装置の駆動方法
【発明の詳細な説明】
【技術分野】
【０００１】
本発明は、画像表示装置及びその駆動方法に係わり、特に、電子放出素子をマトリックス状に配置したマルチ電子源を用いる画像表示装置に適用して有効なものに関する。
【背景技術】
【０００２】
近年、互いに直行する電極郡の交点に電子源を設け、各電子源への印加電圧又は印加時間を調整することにより、電子源からの放出電子量を制御し、高電圧により放出電子を加速して蛍光体へ照射する自発光型のマトリックス方式ディスプレイが注目を集めている。
【０００３】
この種のディスプレイに用いられる電子源としては、電界放射型陰極を用いるもの、薄膜電子源を用いるもの、カーボナノチューブを用いるもの、表面伝導電子放出素子を用いるものなどがある。
【０００４】
この種の表示パネルは、線順次走査を行うのが一般的である。図７に、電子放出素子をマトリックス状に配置した表示パネルの構造図を示す。
【０００５】
図７において、電子放出素子２０１が各画素を構成し、電子放出素子２０１は、マトリックス状に配置されている。垂直方向の各電子放出素子は、データ配線２０２に接続され、水平方向の各電子放出素子は、走査配線２０３に接続されている。
【０００６】
表示パネルが水平ｍドット、垂直ｎラインで構成されており、Ｄ１〜Ｄｍが各データ配線のデータ信号を印加するデータ電極、Ｓ１〜Ｓｎが各走査配線の選択電圧を印加する走査線電極である。
【０００７】
線順次走査を行う場合には、選択された走査線電極には、選択された走査配線に接続される電子放出素子の駆動電流が全て流れる。
【０００８】
図８に、電子放出素子を用いた表示パネルを駆動するための駆動回路の構成を示す。図８において、画像信号２１０と同期信号２０５が、タイミングコントローラ２０６へ入力される。
【０００９】
タイミングコントローラ２０６は、データ電極を駆動するデータ電極ドライブ回路２０７を制御するコントロール信号２１３と、走査電極ドライブ回路２０８を制御するコントロール信号２１４と、データ電極を駆動する駆動波形を生成する画像データ２１２を出力する。
【００１０】
走査電極ドライブ回路２０８は、各走査線のうち１本の走査線を選択する動作を行う。走査選択スイッチＳＨ１〜ＳＨｎまでのうち１つがオン状態となり、選択した走査線電極に選択電圧ＶＨを印加する。
【００１１】
逆に、非選択動作は、非選択スイッチＳＬ１〜ＳＬｎを用いて行う。非選択状態にする走査線に対応した複数のスイッチがオン状態になり、非選択電位ＬＨを走査線電極に供給する。
【００１２】
また、表示パネル２０９へ高圧回路２１１から高電圧を供給し、この高電圧により放出電子を加速して蛍光体へ照射する。
【００１３】
図９は、図８に示した駆動回路の動作波形図である。線順次走査であり、垂直走査の始まりは走査線電極Ｓ１に接続された走査線から選択動作が始まり、順次走査が行なわれる。
【００１４】
走査選択スイッチＳＨ１が期間Ｔ１でオン状態となり、第１番目の走査線を選択する。このとき、データ電極ドライブ回路２０７により、データ電圧Vd11〜Vd1nがそれぞれのデータ線へ供給される。
【００１５】
次に、走査選択スイッチＳＨ２が期間Ｔ２にてオン状態となり、データ電圧Vd21〜Vd2nがそれぞれのデータ線へ供給される。順次これらの動作を行い、１フィールド分の画像を表示する。
【００１６】
また、下記特許文献には、行駆動回路の出力段のオン抵抗と選択された行配線に階調情報に応じて流れる電流とにより生じる電圧降下による行選択信号の電圧変動を補正するための補正回路と、選択された行配線に流れる電流の急激な変化を抑制するように階調情報に応じて変調された変調信号を生成する列駆動回路とを備えた画像表示装置が記載されている。
【特許文献１】特開２００４-８６１３０号公報
【発明の開示】
【発明が解決しようとする課題】
【００１７】
前記背景技術にて述べたように、互いに直行する走査電極とデータ電極の交点に電子源を設けた自発光型のマトリックス方式ディスプレイでは、走査電極ドライブ回路にスイッチ素子を用いて走査線の選択動作を行うが、該スイッチ素子には、選択した走査配線に繋がる画素の駆動電流が流れ、数百ｍＡに達する。したがって、スイッチ素子のオン抵抗値に伴う電圧降下量が無視できない。
【００１８】
また、画像内容によりスイッチ素子を流れる電流は、画像内容に依存して変動し、前述の電圧降下量も変化する。このとき、走査電極電位が一定でなくなり、スメアと呼ばれる輝度段差が水平方向に発生する。
【００１９】
スメアを改善する方法として、電圧降下量を予め画像データより計算して、データ電極ドライブ回路にて補正を行う方法、或いは、負帰還動作型増幅器を用いて走査電極電位を監視して、走査電極電位が所定電位となる様に、スイッチ素子への印加電圧を補正する方法が提案されている。
【００２０】
前者の方法では、画像の階調が犠牲になる点で課題がある。後者については、階調が犠牲になることはないが、以下に述べる様に、増幅器の有限な周波数特性と、スイッチ素子を介して容量性負荷を駆動する点に起因して、オーバーシュート成分を含んだ波形が走査電極に現れ、所定の階調が得られない課題を抱えていた。
【００２１】
以下、マトリックス方式ディスプレイにおいて、負帰還型動作増幅器を適用した走査電極補正回路の課題を説明する。
【００２２】
表示パネルに用いる電子源として薄膜電子源を用いた場合の薄膜電子源の両端への印加電圧Ｖと薄膜電子源に流れる電流Ｉの関係を図１０に示す。
【００２３】
印加電圧Ｖが低電圧の領域（Ｖ＜Ｖth）において、薄膜電子源の電流Ｉは非常に小さい。印加電圧がＶthを超えると薄膜電子源に電流が流れ始め、印加電圧Ｖに対して薄膜電子源の電流Ｉは指数関数的に増加する。
【００２４】
Ｖｍａｘは、薄膜電子源への印加電圧の最大値を示している。本実施形態での薄膜電子源の極性は、走査線電圧がデータ線電圧よりも高い電圧のときに電流が流れる極性と規定する。
【００２５】
図１１は、従来技術による負帰還型動作増幅器を適用した走査電極補正回路の回路構成図である。なお、図１１では、説明を容易にするため２本の走査電極とそれらを駆動するためのスイッチを示している。
【００２６】
図１１において、基準電圧源１３は走査選択電圧を決める電圧源であり、該電圧を増幅器７の正相入力端子へ入力する。
【００２７】
増幅器７の出力端子には、オン抵抗Ｒon９，１４を有する走査選択スイッチ８，１５が接続され、走査選択スイッチ８がオンとなった場合に走査選択電位が走査電極１８へ印加される。この時、走査電極１８に接続された薄膜電子源が選択状態になり、発光する。
【００２８】
次の水平走査周期では、走査選択スイッチ１５がオンとなり、走査電極１９が選択状態となり、発光する。
【００２９】
走査電極１８が選択された場合には、帰還スイッチ１１がオン状態となり、走査電極１８の電位が増幅器７の逆相入力端子へ帰還され、走査電極１８の電位が基準電圧源１３と同電位となる様に、負帰還動作が行われる。
【００３０】
図１２は、図１１の動作波形図である。図１２において、Ｖcont１は走査選択スイッチ８と帰還スイッチ１１の制御信号であり、ハイレベルにおいて前記スイッチがオン状態になるとする。Ｖcont２がハイレベルのときに走査選択スイッチ１５と帰還スイッチ２４がオン状態となる。
【００３１】
通常、各電子源を接続するデータ配線は有限の抵抗値と配線容量を持つと共に、データ駆動回路の出力抵抗が存在することから、階調が変化した場合には、図１２のＶdataに示す様に、ある時定数を伴った波形となる。
【００３２】
したがって、走査電極を駆動する場合には、水平走査周期の始まりでは、選択されない期間（以下「非選択期間」という。）を作り、データ電圧が所定の階調電圧に到達した後に、走査電極に選択電位を与える方法を取っている。この時の波形を図１２のＶs１とＶs２に示す。
【００３３】
図１１において、非選択基準電圧源２３には、非選択スイッチ１２と１７が接続されている。非選択期間において、走査電極電位を非選択電位ＶＬに固定する。
【００３４】
スイッチ１６は、各選択期間の間或いは垂直ブランキング期間等の非選択期間に増幅器７の出力電圧が不確定となることを防止するために設けたものであり、増幅器７の出力電圧を基準電圧に固定する負帰還スイッチである。
【００３５】
図１１の走査電極１９に着目して、課題を説明する。増幅器７は理想増幅器であると仮定する。
【００３６】
走査選択スイッチ１５がオフ、非選択スイッチ１７がオンの非選択期間から、走査選択スイッチ１５がオン、非選択スイッチ１７がオフの選択期間に遷移する際には、増幅器７の出力電圧と走査電極１９の電位Ｖs２の波形は、図１３に示す波形Ｖsとなる。
【００３７】
水平走査期間の始まりにおいて、走査選択スイッチ１５のオン抵抗Ｒon１４と走査線１本の容量により決まる時定数を伴って波形Ｖｓ波形は立ち上がり始める。増幅器７は、所定の基準電圧Ｖrefと走査電極電圧Ｖs２の誤差成分を検出して、走査電極電圧Ｖs２と基準電圧Ｖrefとの差が０Ｖとなるように負帰還動作を行う。
【００３８】
増幅器７が理想増幅器であることから、増幅器７の出力電圧Ｖoutは電源電圧まで急峻に立ち上がる。その後に、走査電極電圧Ｖs２と基準電圧Ｖrefとの差が０Ｖに到達した時点で、増幅器７の出力電圧Ｖoutは下がり、走査線に流れる電流と走査選択スイッチ１５のオン抵抗Ｒon１４により決まる電圧降下分を補正した状態で増幅器７の出力電圧は定常状態に到達する。
【００３９】
次に、増幅器７が理想的ではなく、有限の周波数特性を有する場合について説明する。図１４に、増幅器７のオープンループゲイン特性２５と、走査選択スイッチ１５のオン抵抗１４とパネル容量により構成されるＲＣ回路網の伝達ゲイン特性２６を示す。
【００４０】
増幅器７のオープンループゲイン特性２５が２０dB/decadeで低下する特性として、増幅器７の差動入力電圧に対する出力電圧の伝達関数を複素変数表示を用いて表すと、次式（１）として表すことができる。
【数１】
2006301413.tif 000003
ここで、Ｓは複素数、Ａは増幅器のゲイン、αは係数である。
【００４１】
走査選択スイッチ１５のオン抵抗１４とパネル容量により構成されるＲＣ回路網の伝達ゲイン特性２６についても、同様に次式（２）として表すことができる。
【数２】
2006301413.tif 000004
ここで、βは係数である。
【００４２】
式（１）において、差動入力電圧Ｖref−Ｖs２をＶinと置いて、Ｖinに対するＶs２の伝達関数を求めると、次式（３）が得られる。
【数３】
2006301413.tif 000005
【００４３】
該伝達関数式（３）は２次遅れ要素を含んでいる。したがって、出力電圧であるＶs２としては、オーバーシュート成分を含んだ波形が現れる。
【００４４】
即ち、増幅器７と走査選択スイッチ１５とパネル容量とにより構成される負帰還回路では２次遅れ要素に伴う波形遅延が生じ、出力である走査電極電圧にオーバーシュート成分を含んだ波形が現れる。
【００４５】
該負帰還回路での出力電圧波形を図１５に示す。図１５に示す様に、オーバーシュート成分を含む走査電極波形が印加されると、黒レベル浮きや階調誤差が発生し、画像品位を損なうこととなる。
【００４６】
本発明の目的は、前記課題に対して、オーバーシュートのない走査電極印加電圧を実現し、良好な画像を表示できる画像表示装置を提供することにある。
【課題を解決するための手段】
【００４７】
本発明は、前記従来技術の課題を解決するために、電子放出素子をマトリックス状に配置し、各々の電子放出素子への印加電圧を制御し、放出電子を収束させ螢光体に照射し発光させる、走査配線とデータ配線を有する表示パネルと、各走査配線に接続した走査電極駆動手段と、各データ配線に接続したデータ電極駆動電手段と、放出電子を収束及び螢光体へ照射させるための高電圧を発生する高圧手段と、前記走査電極駆動手段は、走査配線を選択する走査選択スイッチと、各走査電極の電位を検出する走査電極電位検出手段と、走査電極電位検出手段により検出された走査電極電位を基に各走査電極毎に所定の電位とする走査電極電位補正手段と、走査電極波形の変化速度（遅延量）を制御する基準選択電位信号発生手段を備え、走査電極波形にオーバーシュート成分がない走査電極電圧を実現できる。
【発明の効果】
【００４８】
本発明による画像表示装置では、黒レベル浮きや階調誤差の無い良好な画像を表示する画像表示装置を提供できる。
【発明を実施するための最良の形態】
【００４９】
以下、図面を用いて、本発明の実施例を説明する。
【実施例１】
【００５０】
本発明に係る画像表示装置について、以下に説明する。図１に本実施例の構成図を、図２に図１の動作を説明する動作波形図を示す。
【００５１】
図１において、基準電圧源１３は走査選択電位を決める電圧源であり、基準選択電位信号発生回路１へ入力される。基準選択電位信号発生回路１の出力信号は、水平走査の選択期間の始まりにおいて緩やかに立ち上がる。
【００５２】
基準選択電位信号発生回路１の出力信号３０を、図２の遅延した波形３０として示す。該出力信号３０は、走査電極電位補正手段としての増幅器７の基準信号入力端子としての正相入力端子へ印加され、走査線選択時の基準信号となる。
【００５３】
増幅器７の出力端子には、オン抵抗Ｒon９を有する走査選択スイッチ８が接続され、走査選択スイッチ８がオン状態となった場合に走査選択電位が走査電極へ印加される。
【００５４】
図２の波形３３が走査選択手段としての走査選択スイッチ８と走査電極電位検出手段としての帰還スイッチ１１のオンとオフを制御するスイッチ制御信号であり、該スイッチ制御信号３３がハイレベルの時、走査選択スイッチ８と帰還スイッチ１１がオンする極性とする。
【００５５】
走査選択期間Ｔｓは、スイッチ制御信号３３のハイレベル期間に相当する。スイッチ制御信号３３がロウレベルからハイレベルに変化するタイミングは、データ電極駆動電圧が所定の電位に到達した時刻に同期して設定する。該スイッチ制御信号３３は図８に示したタイミングコントローラ２０６より供給する。
【００５６】
図２の時刻ｔ＝０でスイッチ制御信号３３がハイレベルとなり、走査選択スイッチ８と帰還スイッチ１１がオン状態へ遷移する。この時刻を開始時刻として、走査選択期間Ｔｓが始まり、発光動作を行う。
【００５７】
走査電極電位は、帰還スイッチ１１により、増幅器７の逆相入力端子へ戻され、走査電極電位が基準電圧源１３と同電位となる様に、負帰還動作が行われる。増幅器７の差動入力電圧に対する走査電極電圧の伝達関数は、発明が解決しようとする課題において述べた式（３）にて記述した。
【００５８】
図１において、増幅器７の差動入力電圧に対する走査電極電圧の複素変数表示による伝達関数は、式（３）を用いて、次式（４）として表すことができる。
【数４】
2006301413.tif 000006
【００５９】
Ｖsref及びＶsを逆ラプラス変換を用いて時間関数に変換した関数をそれぞれＶsref(t)とＶs(t)とする。Ｖs(t)は、その立上りにおいて概略、自然対数による時間関数を用いて扱うことができ、Ｖsref(t)が直流信号である場合には、差動入力電圧であるＶsref(t)‐Ｖs(t)は、次式（５）として表現できる。
【数５】
2006301413.tif 000007
【００６０】
該関数は、高次の周波数を含んでおり、式（４）の伝達関数を含む回路網における応答においては、その出力波形にオーバーシュート成分が多く含まれることを意味している。
【００６１】
言い換えれば、式（５）における過渡項をキャンセルする様にＶsref(t)を求めることで高次の周波数成分は減少し、オーバ−シュートが改善される。即ち、Ｖsref(t)を次式（６）と置くことにより過渡項がキャンセルされる。
【数６】
2006301413.tif 000008
【００６２】
式（６）で表せる回路網を基準選択電位信号発生回路１として設けることで、増幅器７の差動入力電圧は、次式（７）の様に表すことができる。
【数７】
2006301413.tif 000009
本実施例の図１の回路網は時刻により状態が変化する回路網であり、増幅器７の差動入力電圧Ｖsref(t)‐Vs(t)を直流信号として取り扱うことができるため、走査電極駆動波形の高周波成分であるオーバーシュート波形を改善できる。
【００６３】
本実施例によれば、電子放出素子を電子源として用いたマトリックス方式ディスプレイの走査電極駆動波形として、オーバーシュートのない走査電極電圧を実現でき、黒レベルの浮きや階調誤差がない良好な画像の表示が可能である。
【実施例２】
【００６４】
本発明に係る画像表示装置の実施例について、図３と図４を用いて以下に説明する。図３は本実施例の回路構成図、図４は図３の動作を説明するための動作波形図である。
【００６５】
図３において、基準電圧源１３の出力には抵抗値Ｒ１を有する抵抗２が接続され、該抵抗２の一端とＧＮＤ間には容量値Ｃ１を有するコンデンサ５が接続されている。抵抗２とコンデンサ５の接続点には、抵抗値Ｒ２を有する抵抗４０が接続され、抵抗４０と直列にスイッチ６が接続され、ＧＮＤへ接続される。
【００６６】
図４の波形３３が走査選択スイッチ８と帰還スイッチ１１のオンとオフを制御するスイッチ制御信号Ａであり、該スイッチ制御信号Ａがハイレベルの時、走査選択スイッチ８と帰還スイッチ１１がオンする極性とする。
【００６７】
走査選択期間Ｔｓは、スイッチ制御信号Ａのハイレベル期間に相当する。スイッチ制御信号Ａがロウレベルからハイレベルに変化するタイミングは、データ電極駆動電圧が所定の電位に到達した時刻に同期して設定する。該スイッチ制御信号３３は図８に示したタイミングコントローラ２０６より供給する。
【００６８】
図４の時刻ｔ＝０でスイッチ制御信号Ａがハイレベルとなり、走査選択スイッチ８と帰還スイッチ１１がオン状態へ遷移する。この時刻を開始時刻として、走査選択期間Ｔｓが始まり、発光動作を行う。
【００６９】
走査電極電位は、帰還スイッチ１１により、増幅器７の逆相入力端子へ戻され、走査電極電位が基準電圧源１３と同電位となる様に、負帰還動作が行われる。
【００７０】
一方、図４の波形３７がスイッチ６，１６のオンとオフを制御するスイッチ制御信号Ｂであり、該スイッチ制御信号Ｂがハイレベルの時、スイッチ６，１６がオンする極性とする。
【００７１】
非選択期間Ｔｒは、スイッチ制御信号Ｂのハイレベル期間に相当し、走査選択期間の前後に設けている。スイッチ制御信号Ｂは、図８に示したタイミングコントローラ２０６より供給する。
【００７２】
非選択期間では、増幅器７の出力電圧そのものがフィードバックされている。したがって、該非選択期間における増幅器７の出力電圧は、基準電圧源１３の電圧Ｖrefを抵抗２と抵抗４０により分圧した電圧であり、走査選択期間の初期電圧としてのＶsref(０)は、次式（８）で与えられる。
【数８】
2006301413.tif 000010
【００７３】
時刻ｔ≧０では、スイッチ６とスイッチ１６はオフ状態となり、走査選択スイッチ８と帰還スイッチ１１がオン状態へと遷移する。この走査選択動作期間中の基準選択電圧信号３８は、式（８）を初期電圧とした次式（９）の時間関数として表すことができる。
【数９】
2006301413.tif 000011
【００７４】
ここで、走査電極電位の時間関数を、次式（１０）と置く。式（１０）において、Ｅ・（１−exp(-bt)）が零状態応答であり、Ｖ0・exp(-bt)が零入力応答である。
【数１０】
2006301413.tif 000012
【００７５】
増幅器７における差動入力信号は、式（９）と式（１０）を用いて、次式（１１）にて表現できる。
【数１１】
2006301413.tif 000013
【００７６】
式（１１）を変形して、次式（１２）が得られる。式（１２）は、抵抗値Ｒ１と抵抗値Ｒ２と容量値Ｃ１を適切に選定することにより、自然対数の項を消去できることを意味している。
【数１２】
2006301413.tif 000014
【００７７】
式（１２）により、回路条件を次式（１３）にて与えることにより、出力電圧における高周波成分を除去できる。言い換えれば、出力電圧のオーバーシュート成分を除去することができる。
【数１３】
2006301413.tif 000015
【００７８】
次に、具体的な例としてＶＧＡ仕様の表示パネル（６４０ドット×ＲＧＢ×４８０ライン）を駆動する場合の抵抗値Ｒ１とＲ２及び容量値Ｃ１の求める。典型的な条件として、走査選択電圧を１０Ｖ、非選択電圧を５Ｖに設定する。
【００７９】
式（１２）と式（１３）において、電圧Ｅが走査選択電圧、Ｖ0が非選択電圧となる。また、係数bが走査選択スイッチ８のオン抵抗Ｒon９と容量１４の容量値Ｃｐから成る時定数である。
【００８０】
１つの画素容量を２０ｐＦに仮定すると、前記容量値Ｃｐは３８４００ｐＦとなる。これに対して、走査選択スイッチ電流が数百ｍＡ〜数Ａに達するため、走査選択スイッチ８のオン抵抗Ｒon９は、１Ω以下の低オン抵抗値に設定することが望ましい。
【００８１】
しかしながら、ＬＳＩにて回路を構成する場合の現実的なオン抵抗しては、チップサイズの観点から数Ωから数十Ωに設定する。ここでは、走査選択スイッチ８のオン抵抗値を１０Ωとする。
【００８２】
さらに、Ｃ１＝１０００ｐＦとする。以上の条件では、式（１３）を用いて、Ｒ１＝３８４Ω、走査選択電圧が１０Ｖで非選択電圧が５ＶであるからＲ２＝３８４Ωを導くことができる。
【００８３】
本実施例によれば、実施例１と同様に、電子放出素子を電子源として用いたマトリックス方式ディスプレイの走査電極駆動波形として、オーバーシュートのない走査電極電圧を実現でき、黒レベル変動と階調誤差がない良好な画像の表示が可能である。
【実施例３】
【００８４】
本発明に係る画像表示装置の実施例について、図５と図６を用いて以下に説明する。図５は本実施例の回路構成図、図６は図５の動作を説明するための動作波形図である。
【００８５】
図５において、基準電圧源１３の出力には抵抗値Ｒ１を有する抵抗２が接続され、該抵抗２の一端とＧＮＤ間には容量値Ｃ１を有するコンデンサ５が接続されている。抵抗２とコンデンサ５の接続点と、電圧源３６との間にはスイッチ３５が設けられている。電圧源３６はＧＮＤへ接続されている。
【００８６】
スイッチ３５とスイッチ１６は、スイッチ制御信号Ｂにて駆動され、ハイレベルでオン状態になる。
【００８７】
時刻t＜０ではスイッチ３５とスイッチ１６がオン状態にある非選択期間にあたり、増幅器７の出力電圧がフィードバックされている。したがって、該非選択期間における増幅器７の出力電圧は、電圧源３６の出力電圧と同電圧にある。
【００８８】
次にｔ≧０である選択期間の動作について説明する。選択期間では、スイッチ制御信号Ａにより走査選択スイッチ８と帰還スイッチ１１をオン状態とする。この場合も、ハイレベルで各スイッチがオン状態になるとする。
【００８９】
ここで、電圧源３６の出力電圧をＶ１とおき、この選択期間中の基準選択電位信号３９を、次式（１４）の時間関数として表すことができる。
【数１４】
2006301413.tif 000016
【００９０】
増幅器７の差動入力信号として取り扱い、式（１４）と実施例２で示した式（１０）とにより、次式（１５）が得られる。
【数１５】
2006301413.tif 000017
【００９１】
式（１５）を変形して次式（１６）が得られる。式（１６）は、電圧Ｖ１と抵抗値Ｒ１と容量値Ｃ１を適切に選定することにより、自然対数の項を消去できることを意味している。
【数１６】
2006301413.tif 000018
【００９２】
式（１６）により、回路条件を次式（１７）にて与えることにより、出力電圧における高周波成分を除去できる。言い換えれば、出力電圧のオーバーシュート成分を除去することができる。
【数１７】
2006301413.tif 000019
【００９３】
本実施例によれば、実施例１と同様に、電子放出素子を電子源として用いたマトリックス方式ディスプレイの走査電極駆動波形として、オーバーシュートのない走査電極電圧を実現でき、黒レベル変動と階調誤差がない良好な画像の表示が可能である。
【００９４】
以上、説明したように、電子放出素子をマトリックス状に配置したディスプレイでは、ドライバ回路の有限インピーダンスに起因する輝度不均一を補正する技術は必須であり、本発明をマトリックス方式ディスプレイへ適用することにより、良好な画像表示を可能とする。
【００９５】
また、本発明は、薄膜電子源を実施例として挙げたが、電界放射型陰極素子、カーボナノチューブ陰極素子、有機ＥＬ素子等の他の陰極素子を用いた画像表示装置に対しても本発明が有効であることは言うまでもない。
【図面の簡単な説明】
【００９６】
【図１】本発明の実施例１の回路構成図
【図２】実施例１を説明するための動作波形図
【図３】本発明の実施例２の回路構成図
【図４】実施例２を説明するための動作波形図
【図５】本発明の実施例３の回路構成図
【図６】実施例３を説明するための動作波形図
【図７】電子放出素子をマトリックス状に配置した表示パネルの構造図
【図８】図７の表示パネルを駆動するための駆動回路の構成図
【図９】図８の駆動回路の動作を説明するための動作波形図
【図１０】薄膜電子源の電圧‐電流特性図
【図１１】従来技術による負帰還型動作増幅器を適用した走査電極補正回路の回路構成図
【図１２】従来技術の動作波形図
【図１３】理想増幅器を適用した走査電極補正回路の動作波形図
【図１４】増幅器のオープンループゲイン特性図と、走査選択スイッチのオン抵抗とパネル容量により構成されるＲＣ回路網の伝達ゲイン特性図
【図１５】有限の特性を有する増幅器を適用した走査電極補正回路の動作波形図
【符号の説明】
【００９７】
１…基準選択電位信号発生回路、７…増幅器（走査電極電位補正手段）、８…走査選択スイッチ（走査選択手段）、９…走査選択スイッチのオン抵抗、１４…パネル容量、１１…帰還スイッチ（走査電極電位検出手段）、１６…スイッチ、１３…基準電圧源、２、４０…抵抗、５…コンデンサ、１２…非選択スイッチ、２３…非選択基準電圧源、３０、３８、３９…基準選択電位信号、３１…増幅器７の出力電圧、３２…走査電極選択電圧、３４…増幅器の差動入力信号成分、３３、３７…スイッチ制御信号、３５…スイッチ、３６…電圧源、２０１…電子放出素子、２０２…データ配線、２０３…走査配線、２０５…同期信号、２１０…画像信号、２０６…タイミングコントローラ、２０７…データ電極ドライブ回路、２０８…走査電極ドライブ回路、２０９…表示パネル、２１１…高圧回路
【図１】
2006301413.tif 000020
【図２】
2006301413.tif 000021
【図３】
2006301413.tif 000022
【図４】
2006301413.tif 000023
【図５】
2006301413.tif 000024
【図６】
2006301413.tif 000025
【図７】
2006301413.tif 000026
【図８】
2006301413.tif 000027
【図９】
2006301413.tif 000028
【図１０】
2006301413.tif 000029
【図１１】
2006301413.tif 000030
【図１２】
2006301413.tif 000031
【図１３】
2006301413.tif 000032
【図１４】
2006301413.tif 000033
【図１５】
2006301413.tif 000034